(57)【要約】  データ処理装置（１０）は、蓄電池を有する蓄電装置（４０）に接続された第１電力線（Ｌ１）を介して蓄電装置（４０）に供給される交流電力、又は第１電力線（Ｌ１）を介して蓄電装置（４０）から出力される交流電力の計測値を取得する第１取得部と、蓄電装置（４０）に接続された第２電力線（Ｌ２）を介して蓄電装置（４０）から出力される交流電力の計測値を取得する第２取得部と、第１取得部と第２取得部とによって取得された計測値に基づいて、蓄電装置（４０）の充放電電力を算出する算出部と、算出部によって算出された充放電電力に関する電力情報を表示するための表示データを出力する出力部と、を備える。
2016017016.tif 000002
【特許請求の範囲】
【請求項１】
蓄電池を有する蓄電装置に接続された第１電力線を介して前記蓄電装置に供給される交流電力、又は前記第１電力線を介して前記蓄電装置から出力される交流電力の計測値を取得する第１取得部と、
前記第１電力線とは異なる電力線であって、前記蓄電装置に接続された第２電力線を介して前記蓄電装置から出力される交流電力の計測値を取得する第２取得部と、
前記第１取得部と前記第２取得部とによって取得された計測値に基づいて、前記蓄電装置の充放電電力を算出する算出部と、
前記算出部によって算出された充放電電力に関する電力情報を表示するための表示データを出力する出力部と、を備えるデータ処理装置。
【請求項２】
前記第１電力線及び前記第２電力線のいずれとも異なる第３電力線を介して前記蓄電装置に発電装置から供給される発電電力の計測値を取得する第３取得部をさらに備え、
前記算出部は、前記第１取得部と前記第２取得部と前記第３取得部とによって取得された計測値に基づいて前記蓄電装置の充放電電力を算出する、請求項１に記載のデータ処理装置。
【請求項３】
ユーザによって入力された入力情報を受け付ける入力受付部と、
前記入力情報と、前記算出部によって算出された充放電電力の積算値とに基づいて、前記蓄電池の充電率又は充電量を推定する推定部と、をさらに備え、
前記出力部は、前記推定部によって推定された充電率又は充電量に関する電力情報を表示するための表示データを出力する、請求項１又は２に記載のデータ処理装置。
【請求項４】
前記蓄電装置が設置された住宅に商用電源から供給される電力の計測値を取得する第４取得部をさらに備え、
前記第１電力線は、前記蓄電池に前記商用電源からの電力を供給するために前記蓄電装置に接続され、
前記入力情報は、前記住宅に前記商用電源から供給される電力の上限値を示す情報を含み、
前記算出部は、算出した充放電電力に応じて、前記蓄電池の充電又は放電が行われているか否かを判定し、
前記推定部は、前記第４取得部によって取得された計測値と前記上限値との差が予め設定された値以上であって、かつ、前記算出部によって前記蓄電池の充電又は放電が行われていないと判定されている時間の長さが予め規定された長さを超えたときに、前記蓄電池が満充電状態であると推定する、請求項３に記載のデータ処理装置。
【請求項５】
前記蓄電池の充電率又は充電量をユーザに問い合わせる問合せ部をさらに備え、
前記推定部は、前記問合せ部によって、前記蓄電池の充電率又は充電量を示す回答がユーザから得られたときに、前記回答に基づいて前記蓄電池の充電率又は充電量を推定する、請求項３又は４に記載のデータ処理装置。
【請求項６】
前記推定部は、ユーザからの入力によって前記蓄電池の充電又は放電が行われていないと示されたときに、前記算出部によって算出された充電電力を、前記蓄電装置の消費電力として推定する、請求項３から５のいずれか一項に記載のデータ処理装置。
【請求項７】
前記蓄電装置に接続されている電力線の候補をユーザに提示し、提示した候補からユーザによって選択された電力線を示す選択情報を受け付ける選択受付部をさらに備え、
前記算出部は、前記選択情報により示される電力線を介して供給される電力の計測値に基づいて、前記蓄電装置の充放電電力を算出する、請求項１から６のいずれか一項に記載のデータ処理装置。
【請求項８】
前記蓄電装置が有する回路によって消費される電力の計測値を取得する第５取得部をさらに備え、
前記算出部は、さらに前記第５取得部によって取得された計測値に基づいて前記蓄電装置の充放電電力を算出する、請求項１から７のいずれか一項に記載のデータ処理装置。
【請求項９】
蓄電池を有する蓄電装置に接続された第１電力線を介して前記蓄電装置に供給される交流電力、又は前記第１電力線を介して前記蓄電装置から出力される交流電力を計測する第１計測装置と、
前記第１電力線とは異なる電力線であって、前記蓄電装置に接続された第２電力線を介して前記蓄電装置から出力される交流電力を計測する第２計測装置と、
前記第１計測装置と前記第２計測装置とによって計測された交流電力の計測値に基づいて、前記蓄電装置の充放電電力に関する電力情報を表示するための表示データを出力する請求項１から８のいずれか一項に記載のデータ処理装置と、
前記データ処理装置から出力された表示データに基づいて、前記電力情報を表示する端末と、
を備えるエネルギー管理システム。
【請求項１０】
第１取得部が、蓄電池を有する蓄電装置に接続された第１電力線を介して前記蓄電装置に供給される交流電力、又は前記第１電力線を介して前記蓄電装置から出力される交流電力の計測値を取得し、
第２取得部が、前記第１電力線とは異なる電力線であって、前記蓄電装置に接続された第２電力線を介して前記蓄電装置から出力される交流電力の計測値を取得し、
算出部が、前記第１取得部と前記第２取得部とによって取得された計測値に基づいて、前記蓄電装置の充放電電力を算出し、
出力部が、前記算出部によって算出された充放電電力に関する電力情報を表示するための表示データを出力する、データ処理方法。
【請求項１１】
コンピュータを、
蓄電池を有する蓄電装置に接続された第１電力線を介して前記蓄電装置に供給される交流電力、又は前記第１電力線を介して前記蓄電装置から出力される交流電力の計測値を取得する第１取得手段、
前記第１電力線とは異なる電力線であって、前記蓄電装置に接続された第２電力線を介して前記蓄電装置から出力される交流電力の計測値を取得する第２取得手段、
前記第１取得手段と前記第２取得手段とによって取得された計測値に基づいて、前記蓄電装置の充放電電力を算出する算出手段、
前記算出手段によって算出された充放電電力に関する電力情報を表示するための表示データを出力する出力手段、として機能させるためのプログラム。
【発明の詳細な説明】
【技術分野】
【０００１】
本発明は、データ処理装置、エネルギー管理システム、データ処理方法及びプログラムに関する。
【背景技術】
【０００２】
住宅において消費される電力を計測することで、エネルギーを管理するＨＥＭＳ（Home Energy Management System）が知られている。ＨＥＭＳでは、例えば、住宅におけるエネルギー収支がユーザに対して提示される。これにより、ユーザは、住宅に設置された電気機器を効率的に運用することが可能になる。【０００３】
また、近年、蓄電システムを備える住宅への関心が高まっている。蓄電システムは、蓄電装置に蓄えられる電力を効率的に運用するシステムである。蓄電システムを備える住宅では、商用電力系統からの給電が停止しても、蓄電装置に蓄えられた電力を利用することができる。また、夜間等に電気料金が安くなる場合には、夜間に蓄電装置に電力を蓄えておくことにより、電気代を節約することができる。【０００４】
ＨＥＭＳと蓄電システムとが互いに通信して、これらのシステムが一体的に構成されると、蓄電システムは、蓄電装置の充放電電力をＨＥＭＳに通知することができる。これにより、ＨＥＭＳは、蓄電装置の充放電電力を含むエネルギー収支を、ユーザに対して提示することができる。また、蓄電システムは、蓄電池の充電量を計測する技術を用いて得た計測結果を、ＨＥＭＳに通知することもできる（例えば、特許文献１を参照）。これにより、ユーザは、エネルギー収支とともに、蓄電装置に蓄えられている電力を把握することができる。
【先行技術文献】
【特許文献】
【０００５】
【特許文献１】特開２０１２−２１０１３０号公報
【発明の概要】
【発明が解決しようとする課題】
【０００６】
しかしながら、ＨＥＭＳと蓄電システムとが独立していて、互いに通信することができない場合には、ＨＥＭＳは、蓄電装置の充放電電力に関する情報を蓄電システムから得ることができない。このため、ＨＥＭＳによるエネルギー収支の提示が困難になることがある。【０００７】
本発明は、上記の事情に鑑みてなされたもので、エネルギー収支の提示を可能とすることを目的とする。
【課題を解決するための手段】
【０００８】
上記目的を達成するために、本発明のデータ処理装置は、蓄電池を有する蓄電装置に接続された第１電力線を介して蓄電装置に供給される交流電力、又は第１電力線を介して蓄電装置から出力される交流電力の計測値を取得する第１取得部と、第１電力線とは異なる電力線であって、蓄電装置に接続された第２電力線を介して蓄電装置から出力される交流電力の計測値を取得する第２取得部と、第１取得部と第２取得部とによって取得された計測値に基づいて、蓄電装置の充放電電力を算出する算出部と、算出部によって算出された充放電電力に関する電力情報を表示するための表示データを出力する出力部と、を備える。
【発明の効果】
【０００９】
本発明によれば、蓄電装置の充放電電力に関する電力情報を表示するための表示データが出力される。これにより、エネルギー収支の提示が可能となる。
【図面の簡単な説明】
【００１０】
【図１】実施の形態１に係るエネルギー管理システムの構成を示す図である。
【図２】蓄電装置の構成を示す図である。
【図３】データ処理装置のハードウェアの構成を示す図である。
【図４】データ処理装置の機能的な構成を示す図である。
【図５】充放電電力算出処理を示すフロー図である。
【図６】推定処理を示すフロー図である。
【図７】エネルギー収支を表示する画面の第１の例を示す図である。
【図８】エネルギー収支を表示する画面の第２の例を示す図である。
【図９】エネルギー収支を表示する画面の参考例を示す図である。
【図１０】実施の形態２に係る電力線の接続関係を示す図である。
【図１１】データ処理装置の機能的な構成を示す図である。
【図１２】蓄電装置の構成を示す図である。
【図１３】充放電電力の積算値の推移に基づく充電率の推定について説明するための第１の図である。
【図１４】充放電電力の積算値の推移に基づく充電率の推定について説明するための第２の図である。
【発明を実施するための形態】
【００１１】
以下、本発明を実施するための形態について、図面を参照しつつ詳細に説明する。
【００１２】
実施の形態１．
図１には、実施の形態１に係る住宅Ｈ１におけるエネルギー管理システム１００の構成が示されている。住宅Ｈ１には、図１に示されるように、住宅Ｈ１におけるエネルギー収支を監視するためのエネルギー管理システム１００、電力を蓄えて利用するための蓄電システム４００、発電する発電装置６０、住宅Ｈ１の分電盤７０、及び、電力を消費して稼働する電気機器８１，８２，８３が設置されている。なお、住宅Ｈ１には、商用電源９０からの電力が供給される。また、図１中の太い実線は、電力線を示している。
【００１３】
エネルギー管理システム１００は、電力を計測することでユーザＵ１に対して住宅Ｈ１のエネルギー収支を提示するシステムである。エネルギー管理システム１００は、電力に関するデータを処理するデータ処理装置１０、電力を計測する計測装置２０、及び、ユーザＵ１によって用いられる端末３０を有している。
【００１４】
データ処理装置１０、計測装置２０、及び端末３０はいずれも、宅内ネットワークＮＷを介して互いに接続されている。宅内ネットワークＮＷは、例えば、ＥＣＨＯＮＥＴ  Ｌｉｔｅ等の通信プロトコルに従って通信するためのＬＡＮ（Local Area Network）である。データ処理装置１０、計測装置２０及び端末３０の各々は、この通信プロトコルに従って信号を送受信することにより、宅内ネットワークＮＷを介して互いに通信する。
【００１５】
データ処理装置１０は、計測装置２０から送信されたデータを処理して、処理結果を端末３０へ送信するコンピュータである。なお、データ処理装置１０は、データを処理した結果に基づいて、宅内ネットワークＮＷに接続された機器を制御してもよい。また、データ処理装置１０は、宅外の広域ネットワークに接続されて、ユーザＵ１が宅外から住宅Ｈ１のエネルギー収支を確認したり、宅内ネットワークＮＷに接続された機器を宅外から操作したりするためのホームゲートウェイとして機能してもよい。
【００１６】
計測装置２０は、電力線Ｌ１，Ｌ２，Ｌ３，Ｌ４に取り付けられた変流器（ＣＴ、Current Transformer）２１，２２，２３，２４を用いて、電力線Ｌ１〜Ｌ４各々を介して供給される電力を計測する計測器である。変流器２１，２３，２４は、分電盤７０内に設置されている。
【００１７】
電力線Ｌ１は、蓄電システム４００の蓄電装置４０に電力を蓄えるために蓄電装置４０に接続されている。蓄電装置４０には、電力線Ｌ１を介して商用電源９０から交流電力が供給される。また、蓄電装置４０からは、電力線Ｌ１を介して交流電力が電気機器８１，８２等に供給される。
【００１８】
電力線Ｌ２は、蓄電装置４０に蓄えられた電力を使用するために蓄電装置４０に接続された電線である。蓄電装置４０からは、電力線Ｌ２を介して交流電力が電気機器８３等に供給される。電力線Ｌ３は、発電装置６０によって発電された交流電力を蓄電装置４０に供給するための電線である。
【００１９】
電力線Ｌ４は、住宅Ｈ１に商用電源９０からの電力を供給するための電線である。商用電源９０から供給された電力は、蓄電システム４００、電気機器８１，８２，８３等へ分配される。なお、電力線Ｌ４を介して、発電装置６０によって発電された電力が商用電源９０側へ供給されてもよい。
【００２０】
計測装置２０は、データ処理装置１０からの要求に応答することにより、電力の計測値をデータ処理装置１０に通知する。
【００２１】
端末３０は、例えば、ユーザＵ１によって携帯されるタブレット端末等の情報処理端末である。端末３０は、ユーザＵ１から入力された情報を、宅内ネットワークＮＷを介してデータ処理装置１０に通知する。また、端末３０は、データ処理装置１０から送信されたデータに基づいて、住宅Ｈ１のエネルギー収支をユーザＵ１に提示する。なお、本実施の形態に係る端末３０は、宅内ネットワークＮＷを介してデータ処理装置１０に接続されているが、例えば移動体通信網を介してデータ処理装置１０に接続されていてもよい。
【００２２】
蓄電システム４００は、蓄電装置４０に電力を蓄えて、蓄えられた電力を運用するシステムである。本実施の形態に係る蓄電システム４００は、エネルギー管理システム１００に接続されていない。すなわち、蓄電システム４００は、通信線を介して宅内ネットワークＮＷに接続されていない。蓄電システム４００は、電力を蓄える定置型の蓄電装置４０、及び蓄電装置４０を制御する蓄電コントローラ５０を有している。
【００２３】
蓄電装置４０は、発電装置６０及び商用電源９０から供給された電力を蓄える。また、蓄電装置４０は、蓄えられた電力を必要に応じて電気機器８１，８２に供給する。例えば、電気料金が高額となる日中に、蓄電装置４０は、蓄えておいた電力を電気機器８１，８２に供給する。
【００２４】
また、蓄電装置４０は、商用電源９０からの電力と、蓄えた電力との少なくとも一方を、電気機器８３に供給する。そして、蓄電装置４０は、商用電源９０からの給電が停止したときに（停電時）、蓄えておいた電力を電気機器８３に供給する。すなわち、停電時において、電気機器８１，８２は稼働を停止するが、電気機器８３は、蓄電装置４０に蓄えられた電力により稼働を継続する。
【００２５】
図２には、蓄電装置４０の構成例が模式的に示されている。図２に示されるように、蓄電装置４０には、電力線Ｌ１に接続される端子４１、電力線Ｌ２に接続される端子４２、及び電力線Ｌ３に接続される端子４３が設けられている。また、蓄電装置４０は、電力を蓄える蓄電池４４、蓄電池４４を充電するための充電回路４５、蓄電池４４を放電させるための放電回路４６、充電回路４５及び放電回路４６を制御する制御回路４７、及びＡＣ−ＤＣコンバータ４８を有している。
【００２６】
蓄電池４４は、蓄電装置４０に供給された電力を蓄える二次電池であって、例えば、鉛蓄電池、リチウムイオン電池、又はニッケル水素蓄電池である。蓄電池４４に直流電力が入力されることにより、蓄電池４４が充電される。また、蓄電池４４は、直流電力を出力することにより放電する。蓄電池４４の定格容量は予め定められており、例えば５ｋＷｈである。蓄電池４４の定格容量に相当する電気エネルギーが充電されているときの充電率（ＳＯＣ、State of Charge）は１００％であって、充電量は定格容量に等しい。また、蓄電池４４が蓄えた電力をすべて放電したときの充電率は０％であって、充電量はゼロとなる。
【００２７】
充電回路４５は、発電装置６０及び商用電源９０から供給される交流電力を直流電力に変換する。また、充電回路４５は、変換した直流電力の電圧を、蓄電池４４の充電に適した電圧に変換する。ただし、充電回路４５は、制御回路４７からの指令に従ってＯＮ状態又はＯＦＦ状態になるスイッチング素子を有し、このスイッチング素子がＯＮ状態であるときに電力を蓄電池４４に供給して蓄電池４４を充電する。図２では、スイッチング素子の機能を説明するため、充電回路４５の外部にスイッチが配置されている。なお、充電回路４５が電力を変換する際には、電力の一部が損失する。
【００２８】
放電回路４６は、蓄電池４４から供給される直流電力の電圧を、住宅Ｈ１における電力の供給に適した電圧に変換する。そして、放電回路４６は、直流電力を交流電力に変換して端子４２に出力する。なお、放電回路４６は、端子４１に電力を出力してもよい。また、放電回路４６は、制御回路４７に適した電圧の直流電力を生成して、制御回路４７に出力する。ただし、放電回路４６は、制御回路４７からの指令に従ってＯＮ状態又はＯＦＦ状態になるスイッチング素子を有し、このスイッチング素子がＯＮ状態であるときに電力を出力する。図２では、スイッチング素子の機能を説明するため、放電回路４６の外部にスイッチが配置されている。なお、放電回路４６が電力を変換する際には、電力の一部が損失する。
【００２９】
制御回路４７は、蓄電コントローラ５０からの指示に従って、充電回路４５及び放電回路４６に電力の変換を実行させるか否かを決定する回路である。制御回路４７は、充電回路４５及び放電回路４６を制御することにより、蓄電池４４の充電量を調整したり、商用電源９０の停電時に蓄電池４４を放電させたりする。また、制御回路４７は、充電回路４５及び放電回路４６によって検出された電圧又は電流等に基づいて、蓄電池４４の充電率及び充電量を算出して、算出結果を蓄電コントローラ５０に通知する。
【００３０】
ＡＣ−ＤＣコンバータ４８は、発電装置６０及び商用電源９０から供給される交流電力を直流電力に変換して、制御回路４７に供給する。ＡＣ−ＤＣコンバータ４８が電力を変換する際には、電力の一部が損失する。
【００３１】
図１に戻り、蓄電コントローラ５０は、予めユーザＵ１によって入力された情報に基づいて、蓄電装置４０に対して充放電の開始又は停止を指令するコンピュータである。また、蓄電コントローラ５０は、蓄電装置４０の制御回路４７から通知された蓄電池４４の充電率及び充電量を、ユーザＵ１に対して通知する。
【００３２】
発電装置６０は、例えば太陽光により発電する装置であって、住宅Ｈ１の屋根の上に設置される。発電装置６０は、例えば多結晶シリコン型のソーラーパネル、及びソーラーパネルにより発電された直流電力を交流電力に変換するパワーコンディショナを有している。
【００３３】
分電盤７０には、ブレーカ７１が設置されている。商用電源９０から供給される電力の値がブレーカ７１の容量を超えると、ブレーカ７１は、商用電源９０からの電力の供給を遮断する。ブレーカ７１の容量は、例えば、ユーザＵ１が電力会社と契約する際に定められる。なお、ブレーカ７１は、漏電ブレーカであってもよい。
【００３４】
電気機器８１〜８３各々は、例えば、テレビジョン受像機、空調機器、調理機器、電気給湯器である。電気機器８１〜８３各々は、宅内ネットワークＮＷに接続されていてもよい。
【００３５】
続いて、データ処理装置１０の構成について説明する。図３には、データ処理装置１０のハードウェアの構成が示されている。図３に示されるように、データ処理装置１０は、プロセッサ１１、主記憶部１２、補助記憶部１３、通信部１４、入力部１５、及び出力部１６を有している。主記憶部１２、補助記憶部１３、通信部１４、入力部１５、及び出力部１６はいずれも、内部バス１７を介してプロセッサ１１に接続されている。
【００３６】
プロセッサ１１は、例えばＣＰＵ（Central Processing Unit）等から構成される。プロセッサ１１は、補助記憶部１３に記憶されるプログラムＰ１を実行することにより、後述の処理を実行する。
【００３７】
主記憶部１２は、例えばＲＡＭ（Random Access Memory）等から構成される。主記憶部１２は、補助記憶部１３からプログラムＰ１をロードする。そして、主記憶部１２は、プロセッサ１１の作業領域として用いられる。
【００３８】
補助記憶部１３は、ハードディスク又はフラッシュメモリ等の不揮発性メモリを含んで構成される。補助記憶部１３は、プログラムＰ１の他に、プロセッサ１１の処理に用いられる種々のデータを記憶する。補助記憶部１３は、プロセッサ１１の指示に従って、プロセッサ１１によって利用されるデータをプロセッサ１１に供給し、プロセッサ１１から供給されたデータを記憶する。
【００３９】
通信部１４は、宅内ネットワークＮＷを介して通信するための通信インタフェース等から構成される。通信部１４は、宅内ネットワークＮＷを介して信号を受信して、この信号に含まれるデータをプロセッサ１１へ出力する。また、通信部１４は、プロセッサ１１から出力されたデータを含む信号を、宅内ネットワークＮＷを介して、例えば計測装置２０又は端末３０へ送信する。
【００４０】
入力部１５は、例えば入力キー及び静電容量方式のポインティングデバイス等から構成される。入力部１５は、ユーザＵ１によって入力された情報を取得して、取得した情報をプロセッサ１１に通知する。入力部１５は、例えば、プロセッサ１１の処理に用いられるパラメータの値を入力するために用いられる。
【００４１】
出力部１６は、例えばＬＣＤ（Liquid Crystal Display）及びスピーカ等から構成される。出力部１６は、プロセッサ１１の指示に従って、種々の情報をユーザＵ１に対して提示する。本実施の形態に係る出力部１６は、入力部１５を構成するポインティングデバイスと一体的に形成されることで、タッチスクリーンを構成する。
【００４２】
データ処理装置１０は、以上の構成を有することで種々の機能を発揮する。図４には、データ処理装置１０の機能的な構成が示されている。図４に示されるように、データ処理装置１０は、計測装置２０によって計測された電力の計測値を取得する取得部１０１、ユーザＵ１からの入力を受け付ける入力受付部１０２、ユーザＵ１に対して蓄電装置４０の状態を問い合わせる問合せ部１０３、蓄電装置４０の充放電電力を算出する算出部１０４、蓄電装置４０に蓄えられている電力を推定する推定部１０５、データを出力する出力部１０６、及び、ユーザＵ１に対して情報を表示する表示部１０７を有している。
【００４３】
取得部１０１は、電力の計測値の送信を計測装置２０に対してくり返し要求することにより、電力の計測値を計測装置２０から取得する。この要求は、例えば１秒間の周期で定期的になされる。取得部１０１は、主としてプロセッサ１１及び通信部１４の協働によって実現される。
【００４４】
入力受付部１０２は、ユーザＵ１によって入力された入力情報を受け付ける。入力受付部１０２は、主としてプロセッサ１１及び入力部１５の協働によって実現される。なお、入力情報が、ユーザＵ１によって端末３０に入力される場合には、入力受付部１０２は、プロセッサ１１及び通信部１４の協働によって実現される。
【００４５】
入力受付部１０２によって受け付けられる入力情報には、例えば、商用電源９０から住宅Ｈ１に供給される電力の上限値が含まれる。この上限値は、ブレーカ７１の容量であってもよいし、ユーザＵ１によって指定された他の上限値であってもよい。例えば、この上限値は、住宅Ｈ１において消費される電力を抑制するために、ユーザＵ１がエネルギー管理システム１００に対して指定した値（ピークカット電力）であってもよい。
【００４６】
また、入力情報には、蓄電システム４００に関する情報が含まれてもよい。例えば、入力情報には、蓄電池４４の定格容量、夜間等における充電の開始時刻及び終了時刻、日中等における放電の開始時刻及び終了時刻、蓄電装置４０の放電モード情報（放電優先、ピークカット）、並びに、商用電源９０の停電時等に最低限確保される蓄電池４４の充電率又は充電量が含まれてもよい。さらに、入力情報には、発電装置６０による発電の形態に関する情報が含まれてもよい。
【００４７】
問合せ部１０３は、蓄電コントローラ５０に表示されている蓄電池４４の充電率又は充電量をユーザＵ１に問い合わせる。問合せ部１０３は、蓄電池４４の充電率又は充電量を示す回答がユーザＵ１から得たときに、この回答により示される充電率又は充電量を推定部１０５に通知する。問合せ部１０３は、主としてプロセッサ１１、入力部１５及び出力部１６の協働によって実現される。なお、端末３０を介してユーザＵ１に対して問い合わせる場合には、問合せ部１０３は、プロセッサ１１及び通信部１４の協働によって実現される。
【００４８】
算出部１０４は、取得部１０１によって取得された計測値に基づいて、蓄電装置４０の充放電電力を算出する。算出部１０４は、主としてプロセッサ１１によって実現される。
【００４９】
推定部１０５は、入力受付部１０２によって受け付けられた入力情報と、算出部１０４によって算出された充放電電力の積算値とに基づいて、蓄電池４４の充電率又は充電量を推定する。推定部１０５は、主としてプロセッサ１１によって実現される。
【００５０】
出力部１０６は、算出部１０４によって算出された充放電電力、及び、推定部１０５によって推定された充電率又は充電量に関する電力情報を表示するための表示データを、表示部１０７及び宅内ネットワークＮＷを介して端末３０に出力する。出力部１０６は、主としてプロセッサ１１と通信部１４とによって実現される。
【００５１】
表示部１０７は、出力部１０６によって出力された表示データに基づいて、住宅Ｈ１のエネルギー収支を電力情報としてユーザＵ１に対して表示する。表示部１０７は、主として出力部１６によって実現される。
【００５２】
続いて、データ処理装置１０によって実行される充放電電力算出処理及び推定処理について、図５〜８を用いて詳細に説明する。充放電電力算出処理及び推定処理の各々は、データ処理装置１０の電源が投入されることにより並列に開始する。
【００５３】
図５に示されるように、充放電電力算出処理では、算出部１０４は、Ｅｂにゼロを代入する（ステップＳ１）。Ｅｂは、蓄電装置４０の充放電電力量を示す変数である。
【００５４】
次に、取得部１０１は、計測装置２０から計測値を取得する（ステップＳ２）。具体的には、取得部１０１は、電力線Ｌ１を介して蓄電装置４０に供給されている電力の計測値Ｐｉ、蓄電装置４０から電力線Ｌ２を介して出力されている電力の計測値Ｐｏ、及び、電力線Ｌ３を介して蓄電装置４０に供給されている電力の計測値Ｐｐを取得する。
【００５５】
ただし、計測値Ｐｉが正であるときに、計測値Ｐｉの大きさは、商用電源９０から電力線Ｌ１を介して蓄電装置４０に供給される電力の大きさを示す。また、計測値Ｐｉが負であるときに、計測値Ｐｉの大きさは、蓄電装置４０から電力線Ｌ１を介して出力される電力の大きさを示す。計測値Ｐｉの正負の符号は、電力が蓄電装置４０へ入力されるときに正となる。また、本実施の形態において、計測値Ｐｏ、Ｐｐはいずれも正の値である。
【００５６】
次に、算出部１０４は、蓄電装置４０の充放電電力Ｐｂを算出する（ステップＳ３）。詳細には、算出部１０４は、以下の式（１）に示される演算を実行することで、充放電電力Ｐｂを算出する。
【００５７】
Ｐｂ＝Ｐｉ−Ｐｏ＋Ｐｐ  ・・・（１）
【００５８】
上記式（１）からわかるように、充放電電力Ｐｂの大きさは、蓄電装置４０に入力される電力又は蓄電装置４０から出力される電力の大きさに等しい。また、充放電電力Ｐｂの正負の符号は、蓄電装置４０に電力が入力されるときに正となり、蓄電装置４０から電力が出力されるときに負となる。このように、算出部１０４は、蓄電装置４０に入力される電力又は蓄電装置４０から出力される電力を、蓄電装置４０の充放電電力Ｐｂとして算出する。すなわち、充放電電力Ｐｂが正であるときには、充放電電力Ｐｂの大きさは充電電力の大きさを意味し、充放電電力Ｐｂが負であるときには、充放電電力Ｐｂの大きさは放電電力の大きさを意味する。
【００５９】
なお、蓄電装置４０の内部では、充電回路４５及び放電回路４６による電力の損失、並びに、制御回路４７による電力の消費が発生する。このため、充放電電力Ｐｂは、蓄電池４４の充放電電力と完全に一致するとは限らない。しかしながら、充放電電力Ｐｂは、蓄電池４４の充放電電力と高い相関がある。したがって、後述するように、充放電電力Ｐｂを用いて、ある程度正確なエネルギー収支をユーザＵ１に提示することが可能になる。
【００６０】
次に、算出部１０４は、充放電電力Ｐｂを積算する（ステップＳ４）。詳細には、算出部１０４は、Ｅｂ＝Ｅｂ＋Ｐｂ・Ｔという演算式により、充放電電力Ｐｂを積算する。ただし、Ｔは、計測値の取得（ステップＳ２）が実行される周期を意味する。本実施の形態に係るＴは、１／３６００［ｈ］（＝１［ｓ］）である。
【００６１】
次に、算出部１０４は、ステップＳ４の積算が一定回数だけ実行されたか否かを判定する（ステップＳ５）。この回数は、例えば３６００回である。積算が３６００回実行されたときにおけるＥｂは、１時間（＝３６００秒間）における蓄電装置４０の充放電電力量を意味する。Ｅｂが正であるときには、Ｅｂの大きさは、充電電力量の大きさを意味し、Ｅｂが負であるときには、Ｅｂの大きさは放電電力量を意味する。
【００６２】
積算が一定回数だけ実行されていないと判定した場合（ステップＳ５；Ｎｏ）、算出部１０４は、ステップＳ２以降の処理をくり返す。
【００６３】
一方、積算が一定回数だけ実行されたと判定した場合（ステップＳ５；Ｙｅｓ），算出部１０４は、Ｅｂが０−αより小さいか否かを判定する（ステップＳ６）。αは、予め定められた正の閾値である。
【００６４】
Ｅｂが０−αより小さいと判定した場合（ステップＳ６；Ｙｅｓ）、算出部１０４は、蓄電池４４が放電中であると判断する（ステップＳ７）。これにより、Ｅｂがゼロの近傍であるときに蓄電池４４が放電中であると判断されることが回避される。したがって、蓄電装置４０の充放電電力量として算出されたＥｂに含まれる誤差を考慮して、蓄電池４４が放電中であるという判断を確実なものとすることができる。その後、算出部１０４は、ステップＳ１以降の処理をくり返す。
【００６５】
一方、Ｅｂが０−αより小さくないと判定した場合（ステップＳ６；Ｎｏ）、算出部１０４は、Ｅｂが０＋αより大きいか否かを判定する（ステップＳ８）。
【００６６】
Ｅｂが０＋αより大きいと判定した場合（ステップＳ８；Ｙｅｓ）、算出部１０４は、蓄電池４４が充電中であると判断する（ステップＳ９）。これにより、Ｅｂがゼロの近傍であるときに蓄電池４４が充電中であると判断されることが回避される。したがって、蓄電装置４０の充放電電力量として算出されたＥｂに含まれる誤差を考慮して、蓄電池４４が充電中であるという判断を確実なものとすることができる。その後、算出部１０４は、ステップＳ１以降の処理をくり返す。
【００６７】
一方、Ｅｂが０＋αより大きくないと判定した場合（ステップＳ８；Ｎｏ）、算出部１０４は、蓄電池４４が待機中であると判断する（ステップＳ１０）。すなわち、算出部１０４は、蓄電池４４の充電又は放電が行われていないと判断する。その後、算出部１０４は、ステップＳ１以降の処理をくり返す。
【００６８】
これにより、算出部１０４は、過去１時間における蓄電装置４０の充放電電力量の算出（ステップＳ２〜Ｓ５）と、蓄電池４４の状態の判断（ステップＳ７，Ｓ９，Ｓ１０）を、１時間毎に実行することとなる。
【００６９】
続いて、データ処理装置１０によって実行される推定処理について説明する。図６に示されるように、推定処理では、入力受付部１０２は、ユーザＵ１から入力される入力情報を受け付ける（ステップＳ２１）。
【００７０】
次に、推定部１０５は、蓄電池４４が充電中であるか否かを判定する（ステップＳ２２）。詳細には、推定部１０５は、蓄電池４４が充電中であると算出部１０４によって判断されているか否かを判定する。
【００７１】
蓄電池４４が充電中であると判定した場合（ステップＳ２２；Ｙｅｓ）、推定部１０５は、ステップＳ２２以降の処理をくり返す。これにより、蓄電池４４が充電中ではないと算出部１０４によって判断されるまで、推定部１０５は待機することとなる。
【００７２】
一方、蓄電池４４が充電中ではないと判定した場合（ステップＳ２２；Ｎｏ）、推定部１０５は、充電完了条件が満たされるか否かを判定する（ステップＳ２３）。充電完了条件は、蓄電池４４の充電が完了して充電率が１００％になっていると判断するための条件を意味する。本実施の形態に係る充電完了条件は、第１〜第３の条件がすべて満たされることである。
【００７３】
第１の条件は、蓄電池４４の充電又は放電が行われていないと算出部１０４によって判断されている時間の長さが、予め規定された長さを超えることである。換言すると、蓄電池４４の充電及び放電のいずれも行われていない時間が予め規定された長さだけ継続していることである。予め規定された時間の長さは、例えば３時間である。蓄電池４４が充電中又は放電中であると過去の３時間に一度でも判断されると、第１の条件は満たされない。
【００７４】
第２の条件は、現在時刻が、蓄電システム４００において充電が禁止されている時間に属していないことである。第２の条件の成否は、入力受付部１０２によって受け付けられた入力情報に基づいて判定される。
【００７５】
第３の条件は、商用電源９０から住宅Ｈ１に供給される電力の計測値と、この電力の上限値との差が予め設定された値以上となることである。すなわち、商用電源９０から供給可能な電力がある程度確保されていることである。
【００７６】
第１〜第３の条件のすべての成立は、蓄電池４４の充電が可能な状態であるにも関わらず充電が行われていないことを意味する。
【００７７】
充電完了条件が満たされると判定された場合（ステップＳ２３；Ｙｅｓ）、問合せ部１０３は、充電が完了したか否かをユーザＵ１に問い合わせる（ステップＳ２４）。具体的には、問合せ部１０３は、蓄電池４４の充電率が１００％であると蓄電コントローラ５０に表示されているか否かをユーザＵ１に問い合わせる。例えば、問合せ部１０３は、「充電が完了し満充電状態であることが蓄電システムに示されていますか？」という問い合わせと、この問い合わせに回答するための「Ｙｅｓ」ボタン及び「Ｎｏ」ボタンをタッチスクリーン上に表示する。
【００７８】
次に、推定部１０５は、ステップＳ２４における問い合わせに対して、ユーザＵ１から充電完了の回答があるか否かを判定する（ステップＳ２５）。充電が完了していない旨の回答が得られた場合、及び、回答が一定時間得られない場合、推定部１０５は、充電完了の回答がないと判定する。
【００７９】
充電完了の回答があると判定した場合（ステップＳ２５；Ｙｅｓ），推定部１０５は、蓄電池４４が満充電状態であると推定する（ステップＳ２６）。具体的には、推定部１０５は、蓄電池４４の充電率を１００％と推定し、蓄電池４４の充電量が定格容量に等しいと推定する。なお、推定部１０５は、充電率と充電量との一方のみを推定してもよい。
【００８０】
次に、出力部１０６は、蓄電池４４が満充電状態であることを示す表示データを、表示部１０７及び端末３０に出力する（ステップＳ２７）。この表示データには、例えば、５段階の充電レベルが「５」であること、蓄電池４４の充電率及び充電量、蓄電池４４の充電又は放電が行われているか否か、算出部１０４によって算出された充放電電力Ｐｂ、充放電電力量を示すＥｂが含まれる。その後、データ処理装置１０は、ステップＳ２２以降の処理をくり返す。
【００８１】
図７には、ステップＳ２７において出力された表示データから生成される画面の例が示されている。図７に示されるように、表示データから生成される画面には、蓄電池４４の充電量を５段階で示すアイコンＤ４０と、テキストＤ４１，Ｄ６０，Ｄ８０，Ｄ９０とが表示される。
【００８２】
テキストＤ４１は、充放電電力量であるＥｂの値と、蓄電池４４が充電中、放電中、及び待機中のいずれの状態であるかを示す。テキストＤ６０は、発電装置６０によって発電された電力量を示す。テキストＤ８０は、電気機器８１〜８３によって消費された電力量を示す。テキストＤ９０は、商用電源９０から供給された電力量を示す。テキストＤ６０，Ｄ９０によって示される電力量は、計測装置２０から出力される計測値を積算することにより算出される。また、テキストＤ８０によって示される電力量は、テキストＤ４１，Ｄ６０，Ｄ９０によって示される電力量から算出される。
【００８３】
図６に戻り、ステップＳ２３において充電完了条件が満たされないと判定した場合（ステップＳ２３；Ｎｏ）、及び、ステップＳ２５において充電完了の回答がないと判定した場合（ステップＳ２５；Ｎｏ）、推定部１０５は、蓄電池４４の現在の状態を推定する（ステップＳ２８）。具体的には、推定部１０５は、蓄電池４４が満充電状態であると判定されたとき以降に算出部１０４によって算出された充放電電力量（Ｅｂ）を、蓄電池４４の定格容量に積算することで、蓄電池４４の充電率及び充電量を推定する。
【００８４】
次に、出力部１０６は、蓄電池４４の現在の状態を示す表示データを、表示部１０７及び端末３０に出力する（ステップＳ２９）。この表示データに含まれる充電レベルは、充電率に基づいて算出される。その後、データ処理装置１０は、ステップＳ２２以降の処理をくり返す。
【００８５】
図８には、ステップＳ２９において出力された表示データから生成される画面の例が示されている。図８に示される例では、アイコンＤ４０によって、蓄電池４４の充電率が約６０％であることが示されている。
【００８６】
以上説明したように、本実施の形態に係るデータ処理装置１０は、蓄電装置４０の充放電電力を算出して、充放電電力に関する電力情報を表示するための表示データを出力する。これにより、図７，８に示されるように、ある程度正確なエネルギー収支がユーザＵ１に提示される。
【００８７】
データ処理装置１０は、蓄電装置４０の充放電電力を算出しない場合には、商用電源９０から供給される電力の計測値と、発電装置６０によって発電された電力の計測値とに基づいて、住宅Ｈ１における消費電力量を算出することとなる。図９には、この場合に表示されるエネルギー収支の参考例が示されている。
【００８８】
図９に示される例では、蓄電装置４０の放電電力量が、実際にはすべて住宅Ｈ１内で消費されているにも関わらず、放電電力量が不明である（０ｋＷｈ）ために、住宅Ｈ１の消費電力量が常に０ｋＷｈと表示されている。このため、不正確なエネルギー収支がユーザＵ１に対して提示されることとなる。
【００８９】
しかしながら、本実施の形態に係るデータ処理装置１０は、蓄電装置４０の充放電電力量を算出することで、住宅Ｈ１における消費電力量をある程度正確に算出することができる。その結果、ユーザＵ１は、住宅Ｈ１におけるエネルギー収支を把握して、エネルギーを効率的に使用することが可能になる。
【００９０】
また、本実施の形態に係るデータ処理装置１０は、蓄電池４４の充電率又は充電量を推定する推定部１０５を有する。これにより、推定部１０５によって推定された充電率又は充電量をエネルギー収支とともに提示することが可能になる。
【００９１】
特に、推定部１０５は、充電完了条件が満たされるときに、蓄電池４４が満充電状態であると推定する。これにより、蓄電池４４の充電率又は充電量を正確に推定することが可能になる。
【００９２】
さらに、推定部１０５は、問合せ部１０３によって、満充電状態である蓄電池４４の充電率又は充電量を示す回答がユーザＵ１から得られたときに、この回答に基づいて充電率又は充電量を推定する。これにより、充電率又は充電量の推定結果を確実なものとすることができる。
【００９３】
実施の形態２．
続いて、実施の形態２について、上述の実施の形態１との相違点を中心に説明する。なお、上記実施の形態１と同一又は同等の構成については、同等の符号を用いるとともに、その説明を省略又は簡略する。
【００９４】
本実施の形態に係るデータ処理装置１０は、蓄電装置４０の充放電電力の算出方法が、ユーザＵ１の選択により決定される点で、実施の形態１に係るものと異なっている。また、本実施の形態に係るデータ処理装置１０は、蓄電装置４０内の消費電力に基づいて充放電電力を算出する点で、実施の形態１に係るものと異なっている。
【００９５】
図１０に示されるように、本実施の形態に係る電力線Ｌ３は、蓄電装置４０に接続されていない。図１０からわかるように、蓄電装置４０の充放電電力は、電力線Ｌ１，Ｌ２を介して供給される電力の計測値から算出される。ただし、エネルギー管理システム１００は、蓄電システム４００と通信することができないため、蓄電装置４０の充放電電力の算出に用いるべき計測値を選択することができない。
【００９６】
図１１には、本実施の形態に係るデータ処理装置１０の機能的な構成が示されている。図１１に示されるように、データ処理装置１０は、選択受付部１０８を有している。選択受付部１０８は、蓄電装置４０に接続されている電力線の候補をユーザＵ１に提示する。そして、選択受付部１０８は、ユーザＵ１によって入力された選択情報を受け付ける。この選択情報は、電力線の候補からユーザＵ１によって選択された電力線を示す情報である。図１０に示す例では、選択情報は、電力線Ｌ１，Ｌ２を示す情報となる。選択受付部１０８は、主としてプロセッサ１１、入力部１５及び出力部１６の協働によって実現される。なお、ユーザＵ１が端末３０に選択情報を入力する場合には、選択受付部１０８は、プロセッサ１１及び通信部１４の協働によって実現される。
【００９７】
図１２には、本実施の形態に係る蓄電装置４０の構成が示されている。図１２に示されるように、計測装置２０は、制御回路４７によって消費される電力を、変流器２５を用いて計測する。この消費電力の計測結果は、計測値Ｐｚとしてデータ処理装置１０に通知される。
【００９８】
図１１に戻り、本実施の形態に係る取得部１０１は、計測値Ｐｚを取得する。また、算出部１０４は、以下の式（２）に示される演算を実行することで、蓄電装置４０の充放電電力Ｐｂを算出する。
【００９９】
Ｐｂ＝Ｐｉ−Ｐｏ−Ｐｚ  ・・・（２）
【０１００】
以上説明したように、本実施の形態に係る選択受付部１０８は、ユーザＵ１によって選択された電力線を示す選択情報を受け付けた。そして、算出部１０４は、選択情報により示される電力線Ｌ１，Ｌ２を介して供給される電力の計測値Ｐｉ，Ｐｏに基づいて、蓄電装置４０の充放電電力を算出した。これにより、発電装置６０による発電電力の計測値Ｐｐに基づいて充放電電力を算出することが回避される。すなわち、蓄電装置４０に実際に接続されている電力線に対応した演算をすることができる。
【０１０１】
また、本実施の形態では、蓄電装置４０の制御回路４７によって消費される電力を減じた上で充放電電力Ｐｂが算出された。これにより、充放電電力Ｐｂをより正確に算出することができる。
【０１０２】
なお、本実施の形態では、データ処理装置１０が、変流器２５を用いて計測値Ｐｚを得たが、これには限られない。例えば、蓄電池４４の充電又は放電が行われていないことがユーザＵ１からの入力によって示されたときに、推定部１０５は、算出部１０４によって算出された充放電電力Ｐｂを、蓄電装置４０の消費電力Ｐｙとして推定してもよい。この消費電力Ｐｙは、実質的に、計測値Ｐｚと等しい。
【０１０３】
例えば、推定部１０５は、「蓄電装置が充電中及び放電中のいずれでもありませんか？」という問いと、この問いに対して回答するための「Ｙｅｓ」のボタン及び「Ｎｏ」のボタンをタッチスクリーンに表示させる。そして、推定部１０５は、「Ｙｅｓ」ボタンにユーザＵ１の指がふれたときの充放電電力Ｐｂの値を、消費電力Ｐｙに代入する。
【０１０４】
その後は、算出部１０４が、上記式（２）と同様に、消費電力Ｐｙを減じることで充放電電力Ｐｂを算出すればよい。また、算出部１０４が演算式を変更することなく、推定部１０５が充放電電力Ｐｂから消費電力Ｐｙを減じた上で、蓄電池４４の充電率等を推定してもよい。
【０１０５】
以上、本発明の実施の形態について説明したが、本発明は上記実施の形態によって限定されるものではない。
【０１０６】
問合せ部１０３による問い合わせは、図６中のステップＳ２４とは異なるタイミングで行われてもよい。例えば、推定部１０５によって推定されている蓄電池４４の充電率が閾値以下となったときに、問合せ部１０３は、蓄電池４４の残量が少なくなったことを通知するメッセージを表示するとともに、蓄電コントローラ５０によって表示されている充電率又は充電量をユーザＵ１に問い合わせてもよい。そして、推定部１０５は、この問い合わせに対して、充電率又は充電量を示すユーザＵ１からの回答が得られたときに、推定した充電率又は充電量を、回答により示される充電率又は充電量に補正してもよい。
【０１０７】
また、蓄電池４４の充電率が閾値以下であり、かつ、充電が可能であると判断した場合に、問合せ部１０３は、ユーザＵ１に対して充電を勧めるメッセージを表示するとともに、蓄電コントローラ５０によって表示されている充電率又は充電量をユーザＵ１に問い合わせてもよい。
【０１０８】
データ処理装置１０は、住宅Ｈ１に設置されていたが、これには限定されない。例えば、データ処理装置１０は、インターネットを介して宅内ネットワークＮＷに接続されたサーバ装置であってもよい。
【０１０９】
推定部１０５は、充電完了条件を基準として蓄電池４４の充電率及び充電量を推定したが、これには限定されない。
【０１１０】
例えば、蓄電装置４０の充放電電力の積算値が、図１３に示されるように推移する場合には、図１３中の値Ｅ１は、満充電状態の蓄電池４４の充電量に対応し、値Ｅ２は、充電率が０％のときの充電量に対応すると考えられる。そのため、積算値が、過去の推移における最小値（値Ｅ２）に規定の回数だけ到達した時刻Ｔ１において、推定部１０５は、蓄電池４４の充電率が０％であると推定してもよい。また、積算値が、過去の推移における最大値（値Ｅ１）に規定の回数だけ到達した時刻Ｔ２において、推定部１０５は、蓄電池４４が満充電状態であると推定してもよい。
【０１１１】
また、蓄電池４４の定格容量（値Ｅ３）が与えられている場合において、図１４に示されるように、蓄電装置４０の充放電電力の積算値が、値Ｅ３に相当する範囲で推移したときには、その範囲の最小値が充電率０％に対応し、その範囲の最大値が充電率１００％に対応すると考えられる。
【０１１２】
電力線Ｌ１〜Ｌ４各々を介して供給される電力は、計測装置４０によって計測されたが、別個の装置によって計測されてもよい。例えば、電力線Ｌ１を介して供給される電力を計測する装置は、電力線Ｌ２を介して供給される電力を計測する装置とは異なる装置であってもよい。
【０１１３】
上記実施の形態に係るデータ処理装置１０の機能は、専用のハードウェアによっても、また、通常のコンピュータシステムによっても実現することができる。
【０１１４】
例えば、補助記憶部１３に記憶されているプログラムＰ１を、フレキシブルディスク、ＣＤ−ＲＯＭ（Compact Disk Read-Only Memory）、ＤＶＤ（Digital Versatile Disk）等のコンピュータ読み取り可能な記録媒体に格納して配布し、そのプログラムＰ１をコンピュータにインストールすることにより、上述の処理を実行する装置を構成することができる。
【０１１５】
また、プログラムＰ１をインターネット等の通信ネットワーク上のサーバ装置が有するディスク装置等に格納しておき、例えば、搬送波に重畳させて、コンピュータにダウンロード等するようにしてもよい。
【０１１６】
また、通信ネットワークを介してプログラムＰ１を転送しながら起動実行することによっても、上述の処理を達成することができる。
【０１１７】
さらに、プログラムＰ１の全部又は一部をサーバ装置上で実行させ、その処理に関する情報をコンピュータが通信ネットワークを介して送受信しながらプログラムＰ１を実行することによっても、上述の処理を達成することができる。
【０１１８】
なお、上述の機能を、ＯＳ（Operating System）が分担して実現する場合又はＯＳとアプリケーションとの協働により実現する場合等には、ＯＳ以外の部分のみを媒体に格納して配布してもよく、また、コンピュータにダウンロード等してもよい。
【０１１９】
また、データ処理装置１０の機能を実現する手段は、ソフトウェアに限られず、その一部又は全部を専用のハードウェア（回路等）によって実現してもよい。
【０１２０】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。つまり、本発明の範囲は、実施の形態ではなく、請求の範囲によって示される。そして、請求の範囲内及びそれと同等の発明の意義の範囲内で施される様々な変形が、本発明の範囲内とみなされる。
【産業上の利用可能性】
【０１２１】
本発明は、エネルギーを効率的に利用するためのシステムに適用可能である。
【符号の説明】
【０１２２】
１００  エネルギー管理システム、  １０  データ処理装置、  １１  プロセッサ、  １２  主記憶部、  １３  補助記憶部、  １４  通信部、  １５  入力部、  １６  出力部、  １７  内部バス、  １０１  取得部、  １０２  入力受付部、  １０３  問合せ部、  １０４  算出部、  １０５  推定部、  １０６  出力部、  １０７  表示部、  １０８  選択受付部、  ２０  計測装置、  ２１，２２，２３，２４，２５  変流器、  ３０  端末、  ４００  蓄電システム、  ４０  蓄電装置、  ４１，４２，４３  端子、  ４４  蓄電池、  ４５  充電回路、  ４６  放電回路、  ４７  制御回路、  ４８  ＡＣ−ＤＣコンバータ、  ５０  蓄電コントローラ、  ６０  発電装置、  ７０  分電盤、  ７１  ブレーカ、  ８０  分電盤、  ８１，８２，８３  電気機器、  ９０  商用電源、  Ｄ４０  アイコン、  Ｄ４１，Ｄ６０，Ｄ８０，Ｄ９０  テキスト、  Ｈ１  住宅、  Ｌ１，Ｌ２，Ｌ３，Ｌ４  電力線、  ＮＷ  宅内ネットワーク、  Ｐ１  プログラム、  Ｕ１  ユーザ。
【図１】
2016017016.tif 000003
【図２】
2016017016.tif 000004
【図３】
2016017016.tif 000005
【図４】
2016017016.tif 000006
【図５】
2016017016.tif 000007
【図６】
2016017016.tif 000008
【図７】
2016017016.tif 000009
【図８】
2016017016.tif 000010
【図９】
2016017016.tif 000011
【図１０】
2016017016.tif 000012
【図１１】
2016017016.tif 000013
【図１２】
2016017016.tif 000014
【図１３】
2016017016.tif 000015
【図１４】
2016017016.tif 000016
【国際調査報告】
2016017016.tif 000017
2016017016.tif 000018
2016017016.tif 000019
2016017016.tif 000020